(57)【要約】【課題】  竹刀の割れ等を防止すると共に面金への取り付けや取り外しが簡単かつ迅速にできるようにした面防具用の保護具を提供する。【解決手段】  保護具Ｈ１は、面金５の外形状に沿うよう湾曲した板状の保護板部１を有している。保護板部１の上縁部と下縁部には、面金５の横金５０に取り付けられる嵌合部２，２ａが形成されている。保護板部１の縦金５１と対応する箇所の上縁部には、嵌合部３が形成されている。保護板部１の縦金５１と対応する箇所の下縁部には、縦金５１が嵌る切り溝１０が形成されている。保護具Ｈ１は、所要の変形性、弾性、可撓性または柔軟性を有する透明な合成樹脂で形成されている。【選択図】        図１
2005278890.tif 000002
【特許請求の範囲】
【請求項１】
面金の隙間の一部を覆って塞ぐと共に竹刀の衝撃が緩和または竹刀に衝撃を与えないようにできる透明性を有する部材を備えており、当該部材は上記面金の外側上に、当該面金の外側から取り付けたり取り外したりできるよう構成してあることを特徴とする、
面防具用の保護具。
【請求項２】
面金の隙間の一部を覆って塞ぐと共に竹刀の衝撃が緩和または竹刀に衝撃を与えないようにできる透明性を有する保護部材と、
上記保護部材を上記面金の外側上に、当該面金の外側から取り付けたり取り外したりできるようにする係合手段と、
を備えていることを特徴とする、
面防具用の保護具。
【請求項３】
係合手段は可撓性を有しており、弾性変形することで面金の横金を内部に保持するよう構成してあることを特徴とする、
請求項２記載の面防具用の保護具。
【請求項４】
係合手段は面金の隙間を通して中に差し込み、連結して輪部を形成することで面金の横金に取り付けられるよう構成してあることを特徴とする、
請求項２記載の面防具用の保護具。
【発明の詳細な説明】
【技術分野】
【０００１】
本発明は、剣道で使用する面防具用の保護具に関する。更に詳しくは、竹刀の割れ等を防止すると共に面金への取り付けや取り外しが簡単かつ迅速にできるようにしたものに関する。
【背景技術】
【０００２】
従来から剣道で使用する竹刀は竹製のものが一般的である。竹刀は練習や試合の際に、前面の金属製の面金を打つことで割れたりささくれたりすることがある。これにより破片が面金の物見等の隙間を通って目に入ったりするという危険があった。なお、近年では割れ難いカーボン製の竹刀も開発されているが高価なので普及しておらず、依然として竹製のものが主流である。
【０００３】
竹刀の割れ等を防止するものとして、例えば、特許文献１や２に示すような保護具が知られている。
特許文献１や２記載の保護具は、塩化ビニル樹脂のような合成樹脂材料の管状体を有しており、この管状体の長さ方向に切れ目を設けた構造を有している。この保護具は、管状体の内部に切れ目から横金等を包み込むように嵌めて取り付けられる。
【０００４】
また、特許文献３には、面金の内側に取り付けて竹刀の破片が目に入らないようにした保護具が開示されている。
【０００５】
【特許文献１】実開平３−９６８６９号公報
【特許文献２】実開昭６１−１４８３７１号公報
【特許文献３】実開昭５９−８７８７４号公報
【発明の開示】
【発明が解決しようとする課題】
【０００６】
しかし、上記した特許文献１ないし３で示す保護具には、次のような課題があった。
まず、特許文献１や２に示す保護具は、管状体の内部に切れ目から面金を構成する金属部材を包み込むように嵌めていたので、迅速な取り付けが困難であった。
また、割れた破片が面の中へ入らないようにすることもできなかった。
【０００７】
特許文献３に開示された保護具は、面金の内側に取り付けてあるので、面防具を外さなければ取り付けや取り外しができなかった。そのため練習や試合中に簡単に取り付けたり取り外したりすることが困難であった。
【０００８】
一方、剣道の公式な試合では、面金に保護具等を付けることはできず、規則上外さなければならないよう決められている。つまり、保護具は、練習中は取り付けた状態でも良いが、試合では外さなければならないので、取り付けや取り外しが簡単かつ迅速にできるようなものが望まれる。
【０００９】
本発明の目的は、竹刀の割れ等を防止すると共に面金への取り付けや取り外しが簡単かつ迅速にできるようにする面防具用の保護具を提供することにある。
【課題を解決するための手段】
【００１０】
上記目的を達成するために本発明が講じた手段は次のとおりである。
第１の発明にあっては、
面金の隙間の一部を覆って塞ぐと共に竹刀の衝撃が緩和または竹刀に衝撃を与えないようにできる透明性を有する部材を備えており、当該部材は上記面金の外側上に、当該面金の外側から取り付けたり取り外したりできるよう構成してあることを特徴とする、
面防具用の保護具である。
【００１１】
第２の発明にあっては、
面金の隙間の一部を覆って塞ぐと共に竹刀の衝撃が緩和または竹刀に衝撃を与えないようにできる透明性を有する保護部材と、
上記保護部材を上記面金の外側上に、当該面金の外側から取り付けたり取り外したりできるようにする係合手段と、
を備えていることを特徴とする、
面防具用の保護具である。
【００１２】
第３の発明にあっては、
係合手段は可撓性を有しており、弾性変形することで面金の横金を内部に保持するよう構成してあることを特徴とする、
第２の発明に係る面防具用の保護具である。
【００１３】
第４の発明にあっては、
係合手段は面金の隙間を通して中に差し込み、連結して輪部を形成することで面金の横金に取り付けられるよう構成してあることを特徴とする、
第２の発明に係る面防具用の保護具である。
【００１４】
本発明に係る保護具は、面金の隙間の一部を覆って塞ぐと共に竹刀の衝撃が緩和または竹刀に衝撃を与えないようにでき、当該面金の外側上に、面金の外側から取り付けたり取り外したりできれば、取り付け方は特に限定するものではない。例えば、面金を利用して取り付けることもできるし、面布団を利用して取り付けることもできる。
【００１５】
（作  用）
本発明に係る面防具用の保護具は、面金の隙間の一部を覆って塞ぐと共に竹刀の衝撃が緩和または竹刀に衝撃を与えないようにできる透明性を有する部材を備えており、当該部材が、上記面金の外側上に、当該面金の外側から取り付けたり取り外したりできる。
【００１６】
本発明に係る面防具用の保護具は、面金の隙間の一部を覆って塞ぐと共に竹刀の衝撃が緩和または竹刀に衝撃を与えないようにできる透明性を有する保護部材が、係合手段によって上記面金の外側上に、当該面金の外側から取り付けたり取り外したりできる。
【００１７】
係合手段が可撓性を有するものは、弾性変形して面金の横金を内部に保持することで面金に取り付けられる。
【００１８】
係合手段が面金の隙間を通して中に差し込み、連結して輪部を形成することで面金の横金に取り付けられるよう構成してあるものは、面金の隙間を通して中に差し込み、連結して輪部を形成することで取り付けられる。
【発明の効果】
【００１９】
本発明は上記構成を備え、次の効果を有する。
（ａ）本発明に係る保護具によれば、竹刀の割れ等を防止すると共に、面金への取り付け及び取り外しが面防具を外さずにできるので、取り付け及び取り外しが簡単かつ迅速にできる。
【００２０】
（ｂ）係合手段が可撓性を有するものは、取り付け及び取り外しが面防具の外側から面金に対して押圧したり引きはがしたりするだけで良いので、より簡単かつ迅速にできる。
【００２１】
（ｃ）また、係合手段が面金の隙間を通して中に差し込み、連結して輪部を形成することで面金の横金に取り付けられるよう構成してあるものは、取り付け及び取り外しが、面金の隙間を通して中に差し込み、連結して輪部を形成したり連結状態を解除したりするだけで良いので、この場合も簡単かつ迅速にできる。
【発明を実施するための最良の形態】
【００２２】
本発明の実施の形態を図面に基づき更に詳細に説明する。
図１は本発明に係る保護具の第１の実施の形態を示す使用状態斜視説明図、
図２は図１に示す保護具の要部拡大縦断面図、
図３は図１に示す保護具を背面側から見た斜視図、
図４は図１に示す保護具の正面図、
図５は図１に示す保護具の背面図、
図６は図１に示す保護具の右側面図、
図７は図１に示す保護具の平面図、
図８は図１に示す保護具の底面図である。
【００２３】
符号Ｈ１は面防具用の保護具を示している。保護具Ｈ１は図１に示すように剣道で使用する面防具Ｂの面金５に取り付けて使用される。なお、面防具Ｂは公知のものを使用したので構造についての詳細な説明は省略する。
【００２４】
保護具Ｈ１は、竹刀が当たり易い部分である面金５の上部側の外側に取り付けられる（図１参照）。例えば、具体的に言えば、上から一番目と三番目の横金５０，５０と、上部の縦金５１に取り付けられる。
【００２５】
保護具Ｈ１は、取り付けられる面金５の外形状に沿うよう湾曲した板状の保護板部１を有している。保護板部１は、対応する一部分の面金５の隙間を覆って塞ぐと共に竹刀の衝撃が緩和できる部材を構成する。保護板部１は、面金５に取り付けた状態で、面淵５２との間に指が入る隙間ができる大きさに形成されている。本実施の形態で保護板部１は、所要の変形性、弾性、可撓性または柔軟性を有する透明な合成樹脂で形成したものを使用した。
【００２６】
保護板部１の上縁部と下縁部には、面金５の横金５０に取り付けられる係合手段である嵌合部２，２ａが形成されている。詳しくは嵌合部２，２ａは、縦金５１と対応する箇所を除く（中心部を除く）上縁部と下縁部に形成されている（図３，図５参照）。この嵌合部２，２ａは、保護板部１の縁部を内側方向（裏側方向）に丸めて形成した凹状の保持部２０，２０ａに横金５０を嵌めて保持できる。
【００２７】
また、保護板部１の縦金５１と対応する箇所の上縁部には、上方に突出して縦金５１に取り付けられる嵌合部３が形成されている。この嵌合部３は、四角管状の一部を切り欠いて内部に保持部３０を備えるような形状を有しており、保持部３０内に縦金５１を嵌めて保持できる。
【００２８】
保護板部１の縦金５１と対応する箇所の下縁部には、縦金５１が嵌る切り溝１０が切り欠いて形成されている。
【００２９】
本実施の形態で示す保護具Ｈ１は、保護板部１と嵌合部２，２ａとを一体に形成したものを示したが、これは限定するものではなく、例えば、別体の保護板部１と嵌合部２，２ａを組み合わせて形成したものを使用することもできる。この場合は、少なくとも嵌合部が所要の変形性、弾性、可撓性または柔軟性を有するように構成される。また、製造方法も成形や削りだし等を用いることができる。更に、材料も合成樹脂に限定するものではなく、例えば、金属、木材、竹材、これら（合成樹脂を含む）の混合物を使うこともできる。更にまた、保護板部１と嵌合部２，２ａは、透明なものを使用したが、これも限定するものではなく、例えば、半透明体または不透明体を用いることもできる。
【００３０】
（作  用）
図１ないし図８を参照して本実施の形態で示す保護具Ｈ１の作用を説明する。
保護具Ｈ１は、次のようにして面防具Ｂの面金５に取り付けられる。
まず、保護具Ｈ１を面防具Ｂの面金５の上部側にあたる外側部分に載せる。詳しくは、嵌合部２，２ａを上から一番目と三番目の横金５０，５０に当て、嵌合部３を縦金５１の上部部分に当てる。そして、保護具Ｈ１を押圧し、嵌合部２，２ａ及び嵌合部３を弾性変形させて、保持部２０，２０ａ内に横金５０，５０を嵌め、保持部３０内に縦金５１を嵌めて保持する。保護具Ｈ１は、このようにして面金５の外側に取り付けられているので、竹刀で打たれたような場合でも簡単には外れない。
【００３１】
また、保護具Ｈ１は、側方や上方にあたる面淵５２との間に指を入れたりして引きはがすことで、嵌合部２，２ａや嵌合部３を再び弾性変形させることができ、これにより面金５との嵌合状態を解除して簡単に取り外すことができる。
【００３２】
このように保護具Ｈ１によれば、面金５への取り付け及び取り外しが面防具を外さずにでき、しかも、取り付け及び取り外しは、面防具Ｂの外側から面金５に対して押圧したり引きはがしたりするだけで良いので、簡単かつ迅速にできる。
【００３３】
また、保護具Ｈ１によれば、面防具Ｂの上部側に面金５の隙間を覆って塞ぐように設けてあるので、竹刀が直接面金５に当たらない。更に、保護具Ｈ１は、所要の変形性、弾性、可撓性または柔軟性を有するので、保護具Ｈ１を打った場合でも竹刀は割れたりささくれたりし難い。仮に竹刀の破片が生じた場合でも、保護具Ｈ１は上記したよう面金の隙間を塞いでいるので面防具の中には入り難い。
【００３４】
更にまた、保護具Ｈ１は透明性を有するので、装着した自分の視界が遮られることもない。また、外部からも見えにくいので、対戦相手に与える違和感も小さい。
【００３５】
図９は本発明に係る保護具の第２の実施の形態を示す使用状態斜視説明図、
図１０は図９に示す保護具の要部拡大縦断面図、
図１１は図９に示す保護具の正面図、
図１２は図９に示す保護具の背面図、
図１３は図９に示す保護具の右側面図、
図１４は図９に示す保護具の平面図、
図１５は図９に示す保護具の底面図である。
なお、図９ないし図１５において、上記図１ないし図８で示したものと同一または同等箇所には同一の符号を付して示している。また、以下の説明において構造について上記で示した箇所と重複する説明は、必要な事項を除き省略する。
【００３６】
符号Ｈ２は面防具用の保護具を示している。保護具Ｈ２は、面金５の外形状に沿うよう湾曲した板状の保護板部１ａを有している。保護板部１ａの上縁両端と下縁両端には、面金５の横金５０に取り付けるための係合手段である係合部４，４ａが設けられている。係合部４と係合部４ａは、組みとなって係合可能な所要長さを有する合成樹脂製の面ファスナーで形成されており、外方向に延出するよう取着具４５によって固定されないよう設けられている。
【００３７】
本実施の形態で示す保護具Ｈ２は、別体の保護板部１ａと係合部４，４ａを組み合わせて形成したが、これは限定するものではなく、例えば一体成形したもの等を使用することもできる。また、材料も合成樹脂に限定するものではなく、係合部４，４ａは柔軟性または変形性を有していれば良く、例えば、金属、木材、竹材、これら（合成樹脂を含む）の混合物を使うこともできる。
【００３８】
（作  用）
図９ないし図１５を参照して本実施の形態で示す保護具Ｈ２の作用を説明する。
なお、上記した保護具Ｈ１と共通する構成により生じる同様の作用、効果については説明を省略し、相違する点についてのみ説明する。
【００３９】
保護具Ｈ２は、次のようにして面防具Ｂの面金５に取り付けられる。
まず、保護具Ｈ２を面防具Ｂの面金５の上部側にあたる外側部分に載せる。そして、面金５の対応する隙間に外側から係合部４と係合部４ａをそれぞれ中に差し込み、面防具の内側で輪部を形成して横金５０に取り付けられるよう係合部４と係合部４ａを係合（連結）する。保護具Ｈ２は、このようにして面金５の外側に取り付けられているので、竹刀で打たれたような場合でも簡単には外れない。
また、係合部４と係合部４ａの係合状態を解除することで簡単に取り外すこともできる。
【００４０】
このように保護具Ｈ２によれば、面金５への取り付け及び取り外しが面防具を外さずにでき、しかも、取り付け及び取り外しは、面防具Ｂの外側から係合部４，４ａを中に差し込んで、内側で係合したり係合状態を解除したりするだけで良いので、簡単かつ迅速にできる。
【００４１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４２】
【図１】本発明に係る保護具の第１の実施の形態を示す使用状態斜視説明図。
【図２】図１に示す保護具の要部拡大縦断面図。
【図３】図１に示す保護具を背面側から見た斜視図。
【図４】図１に示す保護具の正面図。
【図５】図１に示す保護具の背面図。
【図６】図１に示す保護具の右側面図。
【図７】図１に示す保護具の平面図。
【図８】図１に示す保護具の底面図。
【図９】本発明に係る保護具の第２の実施の形態を示す使用状態斜視説明図。
【図１０】図９に示す保護具の要部拡大縦断面図。
【図１１】図９に示す保護具の正面図。
【図１２】図９に示す保護具の背面図。
【図１３】図９に示す保護具の右側面図。
【図１４】図９に示す保護具の平面図。
【図１５】図９に示す保護具の底面図。
【符号の説明】
【００４３】
Ｈ１，Ｈ２  保護具
Ｂ  面防具
１，１ａ  保護板部
１０  切り溝
２，２ａ  嵌合部
２０  保持部
３  嵌合部
３０  保持部
４，４ａ  係合部
４５  取着具
５  面金
５０  横金
５１  縦金
５２  面淵
【図１】
2005278890.tif 000003
【図２】
2005278890.tif 000004
【図３】
2005278890.tif 000005
【図４】
2005278890.tif 000006
【図５】
2005278890.tif 000007
【図６】
2005278890.tif 000008
【図７】
2005278890.tif 000009
【図８】
2005278890.tif 000010
【図９】
2005278890.tif 000011
【図１０】
2005278890.tif 000012
【図１１】
2005278890.tif 000013
【図１２】
2005278890.tif 000014
【図１３】
2005278890.tif 000015
【図１４】
2005278890.tif 000016
【図１５】
2005278890.tif 000017